【手続補正書】
【提出日】平成20年4月18日(2008.4.18)
【手続補正１】
【補正対象書類名】特許請求の範囲
【補正対象項目名】全文
【補正方法】変更
【補正の内容】
【特許請求の範囲】
【請求項１】
一般式（１）
【化１】
2006117913.tif 000001
（式中、Ｒ1〜Ｒ3は、それぞれ独立して水素原子または炭素数１〜４のアルキル基を表す。）
で示される基、および一般式（２）〜（４）
【化２】
2006117913.tif 000002
（式中、Ｒ4〜Ｒ6は、それぞれ独立して水素原子または炭素数１〜４のアルキル基を表す。）
で示される群から選ばれる少なくとも１種の基を有することを特徴とするラジカル重合性含硫黄化合物。
【請求項２】
一般式（５）
【化３】
2006117913.tif 000003
（式中、Ｒ1〜Ｒ6はそれぞれ独立して水素原子または炭素数１〜４のアルキル基を表し、ｍおよびｎはそれぞれ独立して１〜５の整数を表す。但し、ｍ＋ｎは６以下である。）
で示される請求項１記載のラジカル重合性含硫黄化合物。
【請求項３】
一般式（６）
【化４】
2006117913.tif 000004
（式中、Ｒ1〜Ｒ6はそれぞれ独立して水素原子または炭素数１〜４のアルキル基を表し、ｍおよびｎはそれぞれ独立して１〜５の整数を表す。但し、ｍ＋ｎは６以下である。）
で示される請求項１記載のラジカル重合性含硫黄化合物。
【請求項４】
一般式（７）
【化５】
2006117913.tif 000005
（式中、Ｒ1〜Ｒ6はそれぞれ独立して水素原子または炭素数１〜４のアルキル基を表し、ｎは１〜５の整数を表す。）
で示される請求項１記載のラジカル重合性含硫黄化合物。
【請求項５】
一般式（８）
【化６】
2006117913.tif 000006
（式中、Ｒ1〜Ｒ6はそれぞれ独立して水素原子または炭素数１〜４のアルキル基を表し、ｎは１〜５の整数を表す。）
で示される請求項１記載のラジカル重合性含硫黄化合物。
【請求項６】
一般式（９）
【化７】
2006117913.tif 000007
（式中、Ｒ1〜Ｒ6はそれぞれ独立して水素原子または炭素数１〜４のアルキル基を表し、ｍおよびｎはそれぞれ独立して１〜５の整数を表す。但し、ｍ＋ｎは６以下である。）
で示される請求項１記載のラジカル重合性含硫黄化合物。
【請求項７】
一般式（１０）
【化８】
2006117913.tif 000008
（式中、Ｒ1〜Ｒ6はそれぞれ独立して水素原子または炭素数１〜４のアルキル基を表し、ｍおよびｎはそれぞれ独立して１〜５の整数を表す。但し、ｍ＋ｎは６以下である。）
で示される請求項１記載のラジカル重合性含硫黄化合物。
【請求項８】
ｍ＝１およびｎ＝１である請求項２〜７のいずれか１項に記載のラジカル重合性含硫黄化合物。
【請求項９】
Ｒ1〜Ｒ6の全てが水素原子である請求項１〜７のいずれか１項に記載のラジカル重合性含硫黄化合物。
【請求項１０】
光学材料用である請求項１〜９のいずれか１項に記載のラジカル重合性含硫黄化合物。
【請求項１１】
請求項１〜９に記載のラジカル重合性含硫黄化合物をカチオン開環重合させて得られる、下記構造式（１０１）
【化９】
2006117913.tif 000009
で示される基を有するラジカル重合性含硫黄ポリマー。
【請求項１２】
請求項１〜９のいずれか１項に記載の少なくとも１種の化合物と、一般式（１）
【化１０】
2006117913.tif 000010
（式中、Ｒ1〜Ｒ3は請求項１の記載と同じ意味を表す。）
で示される基を有し、前記化合物とは異なる化合物とを開環共重合させて得られる請求項１１に記載のラジカル重合性含硫黄ポリマー。
【請求項１３】
一般式（１１）
【化１１】
2006117913.tif 000011
（式中、Ｑはポリマー中に１個または複数個存在し、それぞれの単位構造ごとに独立して、下記一般式（１２）〜（１７）
【化１２】
2006117913.tif 000012
（式中、Ｒ4〜Ｒ6はそれぞれ独立して水素原子または炭素数１〜４のアルキル基を表す。）で示される群から選ばれる少なくとも一つを表す。）
で示される単位構造を少なくとも一つ有する請求項１１または１２に記載のラジカル重合性含硫黄ポリマー。
【請求項１４】
Ｒ4〜Ｒ6の全てが水素原子である請求項１３に記載のラジカル重合性含硫黄ポリマー。
【請求項１５】
請求項１〜９のいずれか１項に記載のラジカル重合性含硫黄化合物および／または請求項１１〜１４のいずれか１項に記載のラジカル重合性含硫黄ポリマーを含むラジカル重合性組成物。
【請求項１６】
更に、アリルエステル化合物を含有する請求項１５に記載のラジカル重合性組成物。
【請求項１７】
アリルエステル化合物が、ジ（メタ）アリルフタレート、ジ（メタ）アリルイソフタレート、ジ（メタ）アリルテレフタレートからなる群から選ばれる少なくとも１種である請求項１６に記載のラジカル重合性組成物。
【請求項１８】
更に、安息香酸（メタ）アリル、ベンジル（メタ）アクリレート、フェニル（メタ）アクリレート、安息香酸ビニル、ジベンジルマレート、ジフェニルマレート、ジベンジルフマレート、ジフェニルフマレート、２−フェニル安息香酸（メタ）アリル、３−フェニル安息香酸（メタ）アリル、４−フェニル安息香酸（メタ）アリル、α−ナフトエ酸（メタ）アリル、β−ナフトエ酸（メタ）アリル、ｏ−クロロ安息香酸（メタ）アリル、ｍ−クロロ安息香酸（メタ）アリル、ｐ−クロロ安息香酸（メタ）アリル、２，６−ジクロロ安息香酸（メタ）アリル、２，４−ジクロロ安息香酸（メタ）アリル、ｏ−ブロモ安息香酸（メタ）アリル、ｍ−ブロモ安息香酸（メタ）アリルおよびｐ−ブロモ安息香酸（メタ）アリル、ジフェン酸ジ（メタ）アリルからなる群から選ばれる少なくとも１種の化合物を含有する請求項１５または１６に記載のラジカル重合性組成物。
【請求項１９】
光学材料用である請求項１５〜１８に記載のラジカル重合性組成物。
【請求項２０】
請求項１５〜１８のいずれか１項に記載のラジカル重合性組成物を硬化してなる硬化物。
【請求項２１】
請求項２０に記載の硬化物を用いてなる光学用材料。
【手続補正２】
【補正対象書類名】明細書
【補正対象項目名】００１８
【補正方法】変更
【補正の内容】
【００１８】
本発明のラジカル重合性含硫黄化合物の具体的な例としては、下記一般式（５）〜（１０）で示される化合物が挙げられる。ｍおよびｎは、それぞれ独立して１〜５の整数を取り得るが、カチオン開環重合時のゲル化防止の面からはｎ＝１が好ましい。また、ラジカル重合時の硬化性および硬化物の耐衝撃性の面からｍ＝１または２が好ましい。
【化１６】
2006117913.tif 000013
（式中、Ｒ1〜Ｒ6はそれぞれ独立して水素原子または炭素数１〜４のアルキル基を表す。ｍおよびｎは、それぞれ独立して１〜５の整数を表す。但し、ｍ＋ｎは６以下である。）、
【化１７】
2006117913.tif 000014
（式中、Ｒ1〜Ｒ6はそれぞれ独立して水素原子または炭素数１〜４のアルキル基を表す。ｍおよびｎは、それぞれ独立して１〜５の整数を表す。但し、ｍ＋ｎは６以下である。）
【化１８】
2006117913.tif 000015
（式中、Ｒ1〜Ｒ6はそれぞれ独立して水素原子または炭素数１〜４のアルキル基を表し、ｎは１〜５の整数を表す。）
【化１９】
2006117913.tif 000016
（式中、Ｒ1〜Ｒ6はそれぞれ独立して水素原子または炭素数１〜４のアルキル基を表し、ｎは１〜５の整数を表す。）
【化２０】
2006117913.tif 000017
（式中、Ｒ1〜Ｒ6はそれぞれ独立して水素原子または炭素数１〜４のアルキル基を表す。ｍおよびｎは、それぞれ独立して１〜５の整数を表す。但し、ｍ＋ｎは６以下である。）
【化２１】
2006117913.tif 000018
（式中、Ｒ1〜Ｒ6はそれぞれ独立して水素原子または炭素数１〜４のアルキル基を表す。ｍおよびｎは、それぞれ独立して１〜５の整数を表す。但し、ｍ＋ｎは６以下である。）